(57)【要約】【課題】音響効果装置を有する和室椅子を提供する。【解決手段】椅子本体、少なくとも１つのスピーカー、接続線、アンプ回路及び電池ケースを含み、該椅子本体の上方に複数の通音孔を設け、椅子本体の通音孔後方にスピーカーを設け、接続線の一端に音源端子を接続して電子機器を接続し、該電子機器の音源信号を接続線に伝達し、更にアンプ回路へ伝達し、信号を拡大した後、スピーカーで発生させる。スピーカーは使用者の両側の耳付近に位置し、僅かな音量で座っている使用者に明瞭にスピーカーが発生する音を聞かせることができる。【選択図】図１
0003133529.tif 000002
【実用新案登録請求の範囲】
【請求項１】
椅子本体の上方に複数個の通音孔を設け、該通音孔の後方位置にスピーカーを設置すると共に、前記椅子本体に一端が音源端子に接続する接続線を配線し、前記音源端子に入力する信号を拡大するアンプ回路を設け、かつ前記スピーカー、音源端子、アンプに電力を供給する電池を収納する電池ケースを設けたことを特徴とする音響効果装置を有する音響効果装置を有する和室椅子。
【請求項２】
前記椅子本体上に少なくとも１つのポケットを設けたことを特徴とする請求項１記載の音響効果装置を有する和室椅子。
【請求項３】
前記椅子本体上に少なくとも１つのカバーポケットを設けたことを特徴とする請求項１記載の音響効果装置を有する和室椅子。
【考案の詳細な説明】
【技術分野】
【０００１】
本考案は、和室椅子に係り、特に、電子構造を有して使用者に音響効果を与えて音楽を鑑賞し、且つ他人を邪魔することのない音響効果装置を有する和室椅子に関する。
【背景技術】
【０００２】
現在、世界の人口は絶え間なく増加し、また都市人口密度も絶え間なく上昇し、例えば、日本の東京、或いは台湾の台北等の大都会地域の各建物は相当接近しており、特に日本の木造建造物は、空間が小さく、防音が悪く、ＡＶ機器を享受する時、隣人に対し迷惑にならないよう音量を制限しなければならず、自分の好きなように享受することができない。また、同一の建物内においても、各個人が他の音に邪魔されたくない時もある。
【考案の開示】
【考案が解決しようとする課題】
【０００３】
イヤホンを使用し音楽などを聴くこともできるが、イヤホンは長時間使用すると耳に不快感を与え、聴力を低下させるといった傷害も起こし、且つイヤホンの音量はある程度に達すると、外界の音を隔絶し、使用者が外界の状況を知ることができず、安全上の問題が発生し易い。そこで、上記の問題を如何に克服するかが、重要な点である。
【０００４】
本考案はこれらの事情に鑑みてなされたもので、音源端子を利用して電子機器に接続し、アンプ回路を介して前記電子機器による音をスピーカーに伝送し、また、必要に応じて２つのスピーカーを設け、それをそれぞれ使用者の耳の両側付近の位置に設け、したがって、僅かな音量であっても座っている使用者が十分な音響効果を享受でき、他人の邪魔にならず、その他音声の障害となるものがなく、使用者が適当な音量の下、外界の状況を知ることができ、安全上の問題も低減させることができるようにした音響効果装置を有する和室椅子を提供することを目的とする。
【課題を解決するための手段】
【０００５】
上記の問題を解決するため、本考案の一態様による音響効果装置を有する和室椅子は、椅子本体、少なくとも１つのスピーカー、接続線、アンプ回路及び電池ケースを含み、前記椅子本体の上方に複数の通音孔を設け、該椅子本体の通音孔後方に前記スピーカーを設置し、該スピーカーから発生する音を椅子本体の通音孔に放出すると共に、前記接続線を椅子本体内に配線してその一端に音源端子を接続して電気機器を接続し、前記アンプ回路は、該音源端子から入力された信号を拡大することに用い、前記電池ケースは、電池を収納して前記スピーカー、アンプ回路などに電力を提供することに用いる。
【考案の効果】
【０００６】
本考案の音響効果を有する和室椅子は、音源端子を利用して電子機器に接続し、該電子機器からの音源信号をアンプ回路を介してスピーカーに伝送し、また、必要に応じて２つのスピーカーを設け、それをそれぞれ使用者の耳の両側付近の位置に設け、僅かな音量でも座っている使用者が十分な効果を享受でき、他人の邪魔にならず、その他音声の障害となるものがなく、使用者が適当な音量の下、外界の状況を知ることができ、安全上の問題も低減させることができる。
【考案を実施するための最良の形態】
【０００７】
以下、図面を参照して本考案野実施例を説明する。
【０００８】
図１及び図２に示すように、本考案の実施例の音響効果装置を有する和室椅子は、本体１０、少なくとも１つのスピーカー２０、接続線３０、アンプ回路４０及び電池ケース５０を備えている。前記椅子本体１０は、背もたれの上方付近に複数の通音孔１１を設けている。前記スピーカー２０は、椅子本体１０の背もたれ上方付近の通音孔１１後方に設置されている。前記接続線３０の一端に音源端子３１を設け、該音源端子３１を通して音響電子機器に接続され、音源信号を前記アンプ回路４０に伝達する。このアンプ回路４０は、前記音源端子３１から伝達入力された信号を前記スピーカー２０に伝達する。前記電池ケース５０は、電池を収納載置させるもので、該電池より前記スピーカー２０、アンプ回路４０などに電力を提供する。
【０００９】
また、椅子本体１０には、少なくとも１つのポケット１２を設け、前記電池ケース５０及び接続線３０の収納に用いることができ、もちろん、その他の装置物品、例えば、テレビのリモコン、タバコ等を収納できる。
【００１０】
上記音響効果装置を有する和室椅子は、音源端子３１を利用して電子機器に接続し、該電子機器より音源信号を該音源端子３１、接続線３０を通してアンプ回路４０に伝達し、該アンプ回路４０を経由して音源信号を拡大した後、スピーカー２０に伝達し発声させる。また、図に示すように、２つのスピーカー２０をそれぞれ使用者の耳の両側の位置付近に設置することにより、該スピーカー２０の方向が前向きであるので、音は前方へ伝達され、他の箇所に拡散せず、したがって、僅かな音量で座っている使用者が十分な音響効果を享受でき、他人の邪魔にならず、また、この方式は耳を遮蔽しないので、使用者がその他の音が聞こえなくなることがなく、使用者が適当な音量の下、外界の状況を知ることができ、安全性の問題を低減し、同時に使用者の耳を保護する。
【００１１】
図３及び図４に示すように、本考案の実施例は、更に背もたれの位置を調整する制御装置及びカバーポケット１４を設けている。前記制御装置は、制御レバー１３を有し、椅子本体１０の座席の側辺に設置して使用者の制御に便利なようにしている。
【００１２】
前記カバーポケット１４は、椅子本体１０の一側に位置し、前記制御レバー１３を覆蓋して接触を防ぎ、心地よさと美観を増加させ、そのうち、背もたれ位置調整装置は多段式のバネ調節または気圧式調整を用いて、背もたれの傾斜角度を調節固定でき、或いは、図３に示すように、平らな姿勢を形成し、使用者を更に快適な姿勢に調整し享受させることができる。
【００１３】
なお、本考案では好ましい実施例を前述の通り開示したが、これらは決して本考案を限定するものではなく、当該技術を熟知する者なら誰でも、本考案の精神と領域を脱しない均等の範囲内で各種の変化や着色を加えることができることは勿論である。
【図面の簡単な説明】
【００１４】
【図１】本考案の実施例の立体図である。
【図２】本考案の実施例の立体透視図である。
【図３】本考案の実施例の背もたれ調整を示す説明図である。
【図４】本考案の実施例の他の視野から見た立体図である。
【符号の説明】
【００１５】
１０ 椅子本体
１１ 通音孔
１２ ポケット
１３ 制御レバー
１４ カバーポケット
２０ スピーカー
３０ 接続線
３１ 音源端子
４０ アンプ回路
５０ 電池ケース
【図１】
0003133529.tif 000003
【図２】
0003133529.tif 000004
【図３】
0003133529.tif 000005
【図４】
0003133529.tif 000006